(57)【要約】【課題】  ジャンプ機能の実行の際に、説明情報中から選択した単語に適合する見出語を適切に表示し、ジャンプ先の辞書の適切な選択を行えるようにすること。【解決手段】  説明情報を表示した説明情報画面においてジャンプ機能を起動すると、表示画面中の何れかの単語が選択単語とされて反転表示２４されるとともに、該選択単語に対応する見出語を含むジャンプ可能な辞書名が一覧表示される。カーソルキーを操作して選択単語を変更すると、この変更に伴ってジャンプ可能な辞書名の一覧表示が更新される。そして、決定キーを操作すると、一覧表示されている各辞書から検索された選択単語に対応する見出語が一覧表示される。【選択図】図１８
2007087146.tif 000002
【特許請求の範囲】
【請求項１】
各見出語に説明情報を対応付けて成る辞書を複数種類記憶する複数辞書記憶手段と、
ユーザ操作による辞書及び見出語の指定に応答して、該見出語に対応する説明情報を前記複数辞書記憶手段から読み出して表示させる制御を行う第１の説明情報表示制御手段と、
この第１の説明情報表示制御手段により表示された説明情報中の何れかの単語を、ユーザ操作に応じて選択する単語選択手段と、
この単語選択手段により選択された単語に対応する見出語を有する辞書の種類を前記複数辞書記憶手段に記憶された複数辞書から検知し、検知した各辞書の種類を一覧表示させる制御を行う辞書種類一覧表示制御手段と、
この辞書種類一覧表示制御手段により一覧表示された辞書の種類から、ユーザ操作に応じて何れかの辞書の種類を選択する辞書種類選択手段と、
この辞書種類選択手段により選択された種類の辞書の前記単語選択手段により選択された単語に対応する見出語を一覧表示させる制御を行う選択辞書見出語一覧表示制御手段と、
この選択辞書見出語一覧表示制御手段より一覧表示された見出語の何れかの見出語に対応する説明情報を表示させる制御を行う第２の説明情報表示制御手段と、
を備える情報表示制御装置。
【請求項２】
タッチパネルと一体的に構成された表示部を更に備え、
前記辞書種類一覧表示制御手段は、前記表示部に辞書の種類を一覧表示するように制御し、
前記辞書種類選択手段は、前記タッチパネルに対するタッチ操作に応じて辞書の種類を選択する、
ことを特徴とする請求項１に記載の情報表示制御装置。
【請求項３】
前記単語選択手段は、ユーザ操作に応じて、選択した単語を変更して新たな単語を選択する単語変更手段を有し、
前記辞書種類一覧表示制御手段は、前記単語変更手段による変更の度に、変更して選択された単語に対応する見出語を有する辞書の種類を検知して、以前表示制御した辞書の種類の一覧表示を更新する制御を行う、
ことを特徴とする請求項１に記載の情報表示制御装置。
【請求項４】
処理内容が予め定められた既定機能を前記表示部に表示させる制御を行う機能名表示制御手段と、
前記タッチパネルに対するタッチ操作に応じて、起動させる既定機能を選択する機能選択手段と、
この機能選択手段により選択された既定機能を起動させる機能起動制御手段と、
を更に備えることを特徴とする請求項２に記載の情報表示制御装置。
【請求項５】
複数の辞書を記憶する辞書記憶手段と、前記複数の辞書の中の一の辞書で辞書引き処理して表示制御した説明情報の中から、ユーザ操作に従って選択されたジャンプ対象単語を他の辞書で辞書引き処理するジャンプ機能を実行処理するジャンプ機能処理手段とを備えた携帯型の電子辞書装置において、
前記ジャンプ機能処理手段は、
ユーザ操作に従って選択されたジャンプ対象単語の説明情報を有する辞書を、前記辞書記憶手段に記憶された複数の辞書の中から検知し、検知した各辞書それぞれを識別表示させる制御を行う実存辞書識別表示制御手段と、
ユーザ操作に従って、この実存辞書識別表示制御手段により識別表示された辞書の中から辞書を選択する実存辞書選択手段と、
この実存辞書選択手段により選択された辞書が有する見出語のうち、前記選択されたジャンプ対象単語に対応する見出語を一覧表示させる制御を行う実存辞書見出語一覧表示制御手段と、
を有することを特徴とする電子辞書装置。
【請求項６】
表示手段と、入力手段と、各見出語に説明情報を対応付けて成る辞書を複数種類記憶する複数辞書記憶手段とを備えた電子機器のコンピュータを制御するための情報表示制御プログラムであって、
前記入力手段からの辞書及び見出語の指定入力に応答して、該見出語に対応する説明情報を前記複数辞書記憶手段から読み出して表示させる制御を行う第１の説明情報表示制御機能と、
この第１の説明情報表示制御機能により表示された説明情報中の何れかの単語を、前記入力手段からの入力に応じて選択する単語選択機能と、
この単語選択機能により選択された単語に対応する見出語を有する辞書の種類を前記複数辞書記憶手段に記憶された複数辞書から検知し、検知した各辞書の種類を一覧表示させる制御を行う辞書種類一覧表示制御機能と、
この辞書種類一覧表示制御機能により一覧表示された辞書の種類から、前記入力手段からの入力に応じて何れかの辞書の種類を選択する辞書種類選択機能と、
この辞書種類選択機能により選択された種類の辞書の前記単語選択機能により選択された単語に対応する見出語を一覧表示させる制御を行う選択辞書見出語一覧表示制御機能と、
この選択辞書見出語一覧表示制御機能より一覧表示された見出語の何れかの見出語に対応する説明情報を表示させる制御を行う第２の説明情報表示制御機能と、
を前記コンピュータに実現させるためのプログラム。
【発明の詳細な説明】
【技術分野】
【０００１】
本発明は、情報表示制御装置等に関する。
【背景技術】
【０００２】
情報表示制御装置の一種として、複数の見出語と該見出語を解説・説明する説明情報とを対応付けた、国語辞典や英和辞書、和英辞書等の様々な種類の辞書ＤＢ（Data Base：データベース）を内蔵した電子辞書装置（以下、「電子辞書」という）が知られている。電子辞書では、入力された検索文字に適合する見出語を辞書ＤＢから検索して該検索した見出語に対応する説明情報を表示制御する辞書引き処理が行われる。
【０００３】
また、電子辞書には、ユーザの利便性を向上させるための機能の一つとして、辞書引きして表示した説明情報中の単語を新たな検索文字として再度辞書引きを行う、いわゆるジャンプ機能を備えたものがある。具体的には、説明情報が表示されている状態でジャンプ機能の起動が割り当てられたジャンプキーを操作（押下）すると、表示画面中の一の単語を新たな検索文字として選択するともに、カーソルキーの操作に応じて選択した検索文字を変更する。そして、選択決定が割り当てられた決定キーが操作されると、選択した検索文字に適合する見出語を辞書ＤＢから検索し、対応する説明情報を表示する。このとき、新たな検索対象とする辞書ＤＢ、即ちジャンプ先の辞書は、予め設定された一の辞書、或いは、ジャンプ毎に指定された一の辞書となる（例えば、特許文献１参照）。
【特許文献１】特開２００１−１３４５８５号公報
【発明の開示】
【発明が解決しようとする課題】
【０００４】
しかしながら、選択した新たな検索文字に適合する見出語がジャンプ先の辞書に有るか否かは、実際にジャンプを実行してみないと分からず、適合する見出語が無い場合もある。このため、ユーザは、所望する見出語が得られるまで各辞書を順にジャンプ先として指定してジャンプを実行するといったことを繰り返す必要があり、使い勝手が悪いという問題があった。
【０００５】
また近年では、内蔵されている全ての辞書をジャンプ先の辞書として横断的に再検索を行い、検索文字に適合する全ての見出語を一覧表示するものもあるが、この場合、適合する見出語が非常に多くなるため、ユーザが所望する見出語を見つけることが困難となり、却って使い勝手が悪くなることがあった。
【０００６】
上記事情に鑑み、本発明は、ジャンプ機能の実行の際に、説明情報中から選択した単語に適合する見出語を適切に表示し、ジャンプ先の辞書の適切な選択を行えるようにすることを目的としている。
【課題を解決するための手段】
【０００７】
上記課題を解決するため、請求項１に記載の発明は、
各見出語に説明情報を対応付けて成る辞書を複数種類記憶する複数辞書記憶手段（例えば、図３のＲＯＭ４００）と、
ユーザ操作による辞書及び見出語の指定に応答して、該見出語に対応する説明情報を前記複数辞書記憶手段から読み出して表示させる制御を行う第１の説明情報表示制御手段（例えば、図３のＣＰＵ１００；図１５のステップＳ９〜Ｓ１１）と、
この第１の説明情報表示制御手段により表示された説明情報中の何れかの単語を、ユーザ操作に応じて選択する単語選択手段（例えば、図３のＣＰＵ１００；図１５のステップＳ１５〜Ｓ２１）と、
この単語選択手段により選択された単語に対応する見出語を有する辞書の種類を前記複数辞書記憶手段に記憶された複数辞書から検知し、検知した各辞書の種類を一覧表示させる制御を行う辞書種類一覧表示制御手段（例えば、図３のＣＰＵ１００；図１５のステップＳ１７）と、
この辞書種類一覧表示制御手段により一覧表示された辞書の種類から、ユーザ操作に応じて何れかの辞書の種類を選択する辞書種類選択手段（例えば、図３のＣＰＵ１００；図１５のステップＳ２９）と、
この辞書種類選択手段により選択された種類の辞書の前記単語選択手段により選択された単語に対応する見出語を一覧表示させる制御を行う選択辞書見出語一覧表示制御手段（例えば、図３のＣＰＵ１００；図１５のステップＳ３３）と、
この選択辞書見出語一覧表示制御手段より一覧表示された見出語の何れかの見出語に対応する説明情報を表示させる制御を行う第２の説明情報表示制御手段（例えば、図３のＣＰＵ１００；図１５のステップＳ４７）と、
を備える情報表示制御装置（例えば、図１，３の電子辞書１）である。
【０００８】
請求項２に記載の発明は、請求項１に記載の情報表示制御装置であって、
タッチパネルと一体的に構成された表示部（例えば、図１，３のサブディスプレイ３０）を更に備え、
前記辞書種類一覧表示制御手段は、前記表示部に辞書の種類を一覧表示するように制御し、
前記辞書種類選択手段は、前記タッチパネルに対するタッチ操作に応じて辞書の種類を選択する、
ことを特徴とする。
【０００９】
請求項３に記載の発明は、請求項１に記載の情報表示制御装置であって、
前記単語選択手段は、ユーザ操作に応じて、選択した単語を変更して新たな単語を選択する単語変更手段（例えば、図３のＣＰＵ１００；図１５のステップＳ１９〜Ｓ２１）を有し、
前記辞書種類一覧表示制御手段は、前記単語変更手段による変更の度に、変更して選択された単語に対応する見出語を有する辞書の種類を検知して、以前表示制御した辞書の種類の一覧表示を更新する制御を行う、
ことを特徴とする。
【００１０】
請求項４に記載の発明は、請求項２に記載の情報表示制御装置であって、
処理内容が予め定められた既定機能を前記表示部に表示させる制御を行う機能名表示制御手段（例えば、図３のＣＰＵ１００；図１５のステップＳ５）と、
前記タッチパネルに対するタッチ操作に応じて、起動させる既定機能を選択する機能選択手段（例えば、図３のＣＰＵ１００；図１５のステップＳ７）と、
この機能選択手段により選択された既定機能を起動させる機能起動制御手段（例えば、図３のＣＰＵ１００；図１５のステップＳ７）と、
を更に備えることを特徴とする。
【００１１】
請求項５に記載の発明は、
複数の辞書を記憶する辞書記憶手段（例えば、図３のＲＯＭ４００）と、前記複数の辞書の中の一の辞書で辞書引き処理して表示制御した説明情報の中から、ユーザ操作に従って選択されたジャンプ対象単語を他の辞書で辞書引き処理するジャンプ機能を実行処理するジャンプ機能処理手段（例えば、図３のＣＰＵ１００；図１５のステップＳ１５〜Ｓ４９）とを備えた携帯型の電子辞書装置（例えば、図１，３の電子辞書１）において、
前記ジャンプ機能処理手段は、
ユーザ操作に従って選択されたジャンプ対象単語の説明情報を有する辞書を、前記辞書記憶手段に記憶された複数の辞書の中から検知し、検知した各辞書それぞれを識別表示させる制御を行う実存辞書識別表示制御手段（例えば、図３のＣＰＵ１００；図１５のステップＳ１７）と、
ユーザ操作に従って、この実存辞書識別表示制御手段により識別表示された辞書の中から辞書を選択する実存辞書選択手段（例えば、図３のＣＰＵ１００；図１５のステップＳ２９）と、
この実存辞書選択手段により選択された辞書が有する見出語のうち、前記選択されたジャンプ対象単語に対応する見出語を一覧表示させる制御を行う実存辞書見出語一覧表示制御手段（例えば、図３のＣＰＵ１００；図１５のステップ３３）と、
を有することを特徴とする。
【００１２】
請求項６に記載の発明は、
表示手段（例えば、図３の表示部３００）と、入力手段（例えば、図３の入力部２００）と、各見出語に説明情報を対応付けて成る辞書を複数種類記する複数辞書記憶手段（例えば、図３のＲＯＭ４００）とを備えた電子機器（例えば、図３の電子辞書１）のコンピュータを制御するための情報表示制御プログラム（例えば、図３の辞書検索プログラム４１０）であって、
前記入力手段からの辞書及び見出語の指定入力に応答して、該見出語に対応する説明情報を前記複数辞書記憶手段から読み出して表示させる制御を行う第１の説明情報表示制御機能（例えば、図１５のステップＳ９〜Ｓ１１）と、
この第１の説明情報表示制御機能により表示された説明情報中の何れかの単語を、前記入力手段からの入力に応じて選択する単語選択機能（例えば、図１５のステップＳ１５〜Ｓ２１）と、
この単語選択機能により選択された単語に対応する見出語を有する辞書の種類を前記複数辞書記憶手段に記憶された複数辞書から検知し、検知した各辞書の種類を一覧表示させる制御を行う辞書種類一覧表示制御機能（例えば、図１５のステップＳ１７）と、
この辞書種類一覧表示制御機能により一覧表示された辞書の種類から、前記入力手段からの入力に応じて何れかの辞書の種類を選択する辞書種類選択機能（例えば、図１５のステップＳ２９）と、
この辞書種類選択機能により選択された種類の辞書の前記単語選択機能により選択された単語に対応する見出語を一覧表示させる制御を行う選択辞書見出語一覧表示制御機能（例えば、図１５のステップＳ３３）と、
この選択辞書見出語一覧表示制御機能より一覧表示された見出語の何れかの見出語に対応する説明情報を表示させる制御を行う第２の説明情報表示制御機能（例えば、図１５のステップＳ４７）と、
を前記コンピュータに実現させるためのプログラムである。
【発明の効果】
【００１３】
請求項１又は６に記載の発明によれば、表示された説明情報中からユーザ操作に応じて選択された単語に対応する見出語を有する辞書が検知され、検知された各辞書の種類が一覧表示される。そして、一覧表示された辞書の種類からユーザ操作に応じて選択された辞書の上記選択された単語に対応する見出語が一覧表示され、この一覧表示された見出語の何れかの見出語に対応する説明情報が表示される。このため、ユーザは、説明情報中から選択した単語に対応する見出語を有する辞書のみをジャンプ可能な辞書として把握してジャンプを実行させることができ、ジャンプ機能を実行する際の利便性の向上が実現される。
【００１４】
請求項２に記載の発明によれば、タッチパネルと一体的に形成された表示部にジャンプ可能な辞書の種類が一覧表示され、このタッチパネルに対するタッチ操作に応じて辞書の種類が選択される。従って、ユーザは、一覧表示された辞書の種類をタッチすることでジャンプ先の辞書を容易に選択することができ、ジャンプ機能を実行する際の操作性の向上が実現される。
【００１５】
請求項３に記載の発明によれば、選択されている単語を変更するために、ユーザ操作に応じて新たな単語が選択されると、この変更の度に、変更して選択された単語に対応する見出語を有する辞書の種類が検知され、辞書の種類の一覧表示が更新される。従って、説明情報中の選択する単語を変更すると、これに伴い、ジャンプ可能な辞書として一覧表示される辞書の種類が更新される。即ち、常に、選択した単語に応じたジャンプ可能な辞書が一覧表示されるので、ジャンプ機能を実行する際の利便性の更なる向上が実現される。
【００１６】
請求項４に記載の発明によれば、タッチパネルと一体的に構成された表示部に処理内容が予め定められた既定機能が表示され、このタッチパネルに対するタッチ操作に応じて起動させる既定機能が選択され、選択された既定機能が起動される。これにより、例えば通常時にはジャンプ機能を含む既定機能を表示させ、ジャンプ機能の実行の際にはジャンプ可能な辞書名を一覧表示させるといった、１つの表示部に対して状況に応じた適切な表示が可能となるとともに、タッチ操作により所望の機能或いは辞書名を選択できるといったユーザの操作性の向上が実現される。
【００１７】
請求項５に記載の発明によれば、ジャンプ機能を実行可能な電子辞書装置において、ジャンプ機能を実行すると、ユーザ操作に従って選択されたジャンプ対象単語の説明情報を有する辞書が検知され、検知された各辞書それぞれが識別表示され、この識別表示された辞書の中からユーザ操作に従って選択された辞書が有する見出語のうち、上記選択されたジャンプ対象単語に対応する見出語が一覧表示される。このため、ユーザは、説明情報中から選択した単語に対応する見出語を有する辞書のみを実際にジャンプ可能な辞書として把握してジャンプを実行することができ、ジャンプ機能を実行する際の利便性の向上が実現される。尚、辞書の識別表示としては、例えば辞書の名称の表示等がある。
【発明を実施するための最良の形態】
【００１８】
以下、図面を参照して、本発明の好適な実施形態を説明する。尚、以下では、本発明を電子辞書に適用した場合を説明するが、本発明の適用可能な実施形態がこれに限定されるものではない。
【００１９】
［外観］
図１は、本実施形態における電子辞書１の外観斜視図である。同図によれば、電子辞書１は、２つの筐体１０Ａ，１０Ｂがヒンジを介して開閉自在に連結され、このヒンジを軸として筐体１０Ａ，１０Ｂそれぞれの正面を向かい合わせて折り畳むことができるように構成されている。そして、筐体１０Ａの正面には、メインディスプレイ２０が備えられ、筐体１０Ｂの正面には、サブディスプレイ３０と、キー群５０とが設けられている。
【００２０】
メインディスプレイ２０及びサブディスプレイ３０は、例えばＬＣＤ（Liquid Crystal Display）で構成されている。サブディスプレイ３０には、その表示領域全体に亘ってタッチパネル４０が一体的に形成されている。タッチパネルは、感圧式や光学式、静電式、電磁誘導式等の検出原理によって、タッチされた位置を、例えばサブディスプレイ３０を構成するドット単位で検出する。ユーザは、付属のタッチペンや手指によるサブディスプレイ３０上のタッチ操作によって各種の操作入力を行うことができる。
【００２１】
図２は、筐体１０Ｂの正面図である。同図に示すように、サブディスプレイ３０の表示領域は、合計１０のサブエリア３２ａ〜３２ｊ（以下、包括的に「サブエリア３２」という）に等分されており、各サブエリア３２には、識別番号であるエリアＮｏ．「１」〜「１０」が割り当てられている。
【００２２】
また、キー群５０は、それぞれに固有の機能が割り当てられた複数のキーから成り、電子辞書１の電源をＯＮ／ＯＦＦするための電源キー５１と、辞書の種類を選択するための辞書キー５２と、文字を入力するための文字キー５３と、上下左右方向を入力するためのカーソルキー５４と、操作確定を入力するための決定キー５５と、１つ前の表示画面に戻るための戻るキー５６とを含んでいる。
【００２３】
［内部構成］
図３は、電子辞書１の内部構成図である。同図によれば、電子辞書１は、ＣＰＵ（Central Processing Unit）１００と、入力部２００と、表示部３００と、ＲＯＭ（Random Access Memory）４００と、ＲＡＭ（Read Only Memory）５００とを備えて構成される。
【００２４】
ＣＰＵ１００は、所定のタイミング或いは入力部２００から入力される操作信号に応じてＲＯＭ４００に格納されているプログラムを読み出してＲＡＭ５００に展開し、該プログラムに従った処理を実行する。そして、処理結果をＲＡＭ５００に格納するとともに、該処理結果を表示するための表示信号を表示部３００に出力して対応する表示画面を表示させる。本実施形態では、ＣＰＵ１００は、ＲＯＭ４００の辞書検索プログラム４１０に従った辞書検索処理を実行する。
【００２５】
辞書検索処理では、ＣＰＵ１００は、辞書キー５２の操作により検索対象とする辞書が選択されると、選択された辞書に応じた検索文字を入力するための検索文字入力画面をサブディスプレイ３０に表示させるとともに、現時点で実行可能な機能名を、機能名表示エリアテーブル４４０を参照してサブディスプレイ３０に一覧表示させる。
【００２６】
ここで「機能」とは、電子辞書１の利便性を向上させるための、その処理内容が予め定められた機能である。例えば、表示されている説明情報中の選択された単語を新たな検索文字として対応する見出語を再度検索するジャンプ機能、説明情報を表示した見出語を検索履歴として辞書毎に記憶するヒストリ機能、説明情報を表示した見出語をユーザ操作により記憶する単語帳機能等がある。
【００２７】
また、機能名表示エリアテーブル４４０とは、サブディスプレイ３０における機能名の表示位置を指定するデータテーブルである。図６に、機能名表示エリアテーブル４４０のデータ構成の一例を示す。同図によれば、機能名表示エリアテーブル４４０は、サブディスプレイ３０の各サブエリア３２のエリアＮｏ．４４１と、該サブエリア３２に表示させる機能名４４２とが対応付けて格納されている。
【００２８】
ＣＰＵ１００は、この機能名表示エリアテーブル４４０を参照して、該当する各機能名を、サブディスプレイ３０の対応する各サブエリア３２に表示させる。
【００２９】
検索文字入力画面において、文字キー５３の操作により検索文字が入力され、決定キー５５が操作されると、ＣＰＵ１００は、入力された検索文字に対応する見出語を、辞書ＤＢ群４２０中の検索対象の辞書ＤＢから検索し、検索した見出語をメインディスプレイ２０に一覧表示させる。次いで、一覧表示させた見出語のうちから選択された見出語に対応する説明情報を該検索対象の辞書ＤＢから読み出し、説明情報画面をメインディスプレイ２０に表示させる。
【００３０】
辞書ＤＢ群４２０は、当該電子辞書１に内蔵されている複数種類の辞書ＤＢから成る。具体的には、例えば国語辞典の辞書ＤＢである国語辞典ＤＢ４２１や、百科事典の辞書ＤＢである百科事典ＤＢ４２２、大英和辞書の辞書ＤＢである大英和辞書ＤＢ４２３、和英辞書の辞書ＤＢである和英辞書ＤＢ４２４等を含んでいる。
【００３１】
各辞書ＤＢは、複数の見出語と、該見出語の意味内容を解説・説明する説明情報とが対応付けて格納されている。この辞書ＤＢの一例として、図４に、国語辞典ＤＢ４２１のデータ構成の一例を示す。同図によれば、国語辞典ＤＢ４２１には、見出語４２１ａと、該見出語４２１ａの意味内容を説明・解説する説明情報４２１ｂとが対応付けて格納されている。尚、他の種類の辞書ＤＢも同様のデータ構成となっている。
【００３２】
そして、説明情報画面において、サブディスプレイ３０に表示されている機能名のうち、「ジャンプ」がタッチ（選択）されると、ＣＰＵ１００は、ジャンプ機能を起動する。即ち、説明情報画面中の一つの単語を選択単語（ジャンプ対象単語）とし、これを反転表示させる。そして、全辞書のうちから選択単語に対応する見出語を含む辞書を検知し、検知した辞書名をサブディスプレイ３０に一覧表示させる。詳細には、辞書言語種別テーブル４３０を参照して、全辞書のうちから、見出語の言語種別が選択単語の言語種別に一致する辞書を抽出する。
【００３３】
辞書言語種別テーブル４３０とは、電子辞書１に内蔵されている各辞書における見出語の言語の種別（例えば、日本語や英語、ドイツ語等）を示すデータテーブルである。図５に、辞書言語種別テーブル４３０のデータ構成の一例を示す。同図によれば、辞書言語種別テーブル４３０は、辞書名４３１と、該辞書における見出語の言語種別４３２とを対応付けて格納している。同図に示すように、国語辞典や百科事典、和英辞典等には言語種別「日本語」が対応付けられ、大英和辞書等には言語種別「英語」が対応付けられ、また不図示であるが、例えば独和辞書には言語種別「ドイツ語」が対応付けられている。
【００３４】
次いで、ＣＰＵ１００は、抽出した見出語の言語種別が選択単語の言語種別に一致する辞書のうちから、選択単語に対応する見出語を含む辞書を検知する。そして、検知した各辞書をジャンプ可能辞書とし、その辞書名を、辞書名表示エリアテーブル４５０を参照してサブディスプレイ３０に一覧表示させる。
【００３５】
辞書名表示エリアテーブル４５０とは、サブディスプレイ３０における辞書名の表示位置を指定するデータテーブルである。図７に、辞書名表示エリアテーブル４５０のデータ構成の一例を示す。同図によれば、辞書名表示エリアテーブル４５０には、サブディスプレイ３０の各サブエリア３２のエリアＮｏ．４５１と、該サブエリア３２に表示させる辞書名４５２とが対応付けて格納されている。
【００３６】
辞書名表示エリアテーブル４５０では、電子辞書１に内蔵されている全辞書が何れかのエリアＮｏ．４５１に対応付けられている。本実施形態では、電子辞書１に内蔵されている辞書数がサブエリア３２の数より多いため、各エリアＮｏ．４５１には、１又は複数の辞書名が対応付けられているとともに、対応する各辞書が表示される際の優先度が設定されている。例えば同図では、エリアＮｏ．「１」には２以上の辞書名が対応付けられており、「国語辞書」、「Ｒ英和辞書」、・・の順に優先度が高く設定されている。但し、１の辞書が複数のエリアＮｏ．４５１に重複して対応付けられてはいないこととする。
【００３７】
ＣＰＵ１００は、この辞書名表示エリアテーブル４５０を参照して、各サブエリア３２に表示するジャンプ可能辞書名を次のように決定する。即ち、各エリアＮｏ．４５１について、対応付けられている辞書名４５２にジャンプ可能辞書が含まれているか否かを判断する。ジャンプ可能辞書が含まれている場合、それらのジャンプ可能辞書のうち、設定されている優先度が最も高いジャンプ可能辞書を該エリアＮｏ．４５１に対応するサブエリア３２に表示させる。そして、サブエリア３２に割り当てられなかったジャンプ可能辞書がある場合には、ジャンプ可能辞書が割り当てられていないサブエリア３２のうち、エリアＮｏ．の小さいエリアから順に当該割り当てられていないジャンプ可能辞書を割り当てることで、各サブエリア３２にジャンプ可能辞書を割り当てる。
【００３８】
また、この選択単語を反転表示させた説明情報画面（以下、「単語選択画面」という）において、カーソルキー５４が操作されると、ＣＰＵ１００は、その操作方向に応じて選択単語を変更する。そして、この選択単語の変更の度に、変更後の新たな選択単語に対応する見出語を含む新たなジャンプ候補辞書を検知し、サブディスプレイ３０におけるジャンプ可能辞書の辞書名の一覧表示を更新する。これにより、ユーザのカーソルキー５４の操作に応じて選択単語が変更されるともに、サブディスプレイ３０には、常に現在の選択単語に対応するジャンプ可能な辞書名が表示されることとなる。
【００３９】
次いで、決定キー５５が操作されると、ＣＰＵ１００は、ジャンプ可能辞書を対象とした選択単語の複数辞書検索を行う。即ち、辞書言語種別テーブル４３０を参照して、見出語の言語種別が選択単語の言語種別に一致する辞書を抽出する。そして、この抽出した各辞書から選択単語に対応する見出語を検索し、検索した見出語をジャンプ候補見出語として一覧表示したジャンプ候補見出語一覧画面をメインディスプレイ２０に一覧表示させる。
【００４０】
そして、ジャンプ候補見出語一覧画面において、サブディスプレイ３０に表示された何れかの辞書名がタッチされると、そのタッチされた辞書名の辞書を選択辞書とする。そして現在のジャンプ候補見出語のうち、選択辞書に含まれる見出語のみをジャンプ候補見出語に変更し、メインディスプレイ２０の見出語の一覧表示を、変更後のジャンプ候補見出語の一覧表示に更新する。
【００４１】
また、ジャンプ候補見出語一覧画面において、一覧表示されているジャンプ候補見出語のうちから何れかの見出語が選択されると、ＣＰＵ１００は、その選択された見出語を選択見出語とする。そして、この選択見出語に対応する説明情報を該当する辞書ＤＢから読み出し、説明情報画面をメインディスプレイ２０に表示させる。
【００４２】
また、単語選択画面において、サブディスプレイ３０に表示されている何れかの辞書名がタッチされると、ＣＰＵ１００は、そのタッチされた辞書を選択辞書とする。そして、この選択辞書から選択単語に対応する見出語を検索し、検索した見出語をジャンプ候補見出語として、ジャンプ候補見出語一覧画面をメインディスプレイ２０に表示させる。
【００４３】
次いで、ジャンプ候補見出語一覧画面において、一覧表示されているジャンプ候補見出語のうちから何れかの見出語が選択されると、ＣＰＵ１００は、選択された見出語を選択見出語とする。そして、この選択見出語に対応する説明情報を該当する辞書ＤＢから読み出し、説明情報画面をメインディスプレイ２０に表示させる。
【００４４】
入力部２００は、ユーザが検索文字や検索実行指示等の各種操作を入力するための入力装置であり、なされた操作に応じた操作入力信号をＣＰＵ１００に出力する。本実施形態では、この入力部２００は、キー群５０及びタッチパネル４０を含む。
【００４５】
表示部３００は、各種画面を表示する表示装置であり、ＣＰＵ１００から入力される表示信号に基づく表示画面を表示する。本実施形態では、この表示部３００は、メインディスプレイ２０及びサブディスプレイ３０を含む。
【００４６】
ＲＯＭ４００は、電子辞書１にかかるシステムプログラムや各種アプリケーションプログラム、本実施形態を実現するためのプログラムやデータ等を記憶する。本実施形態では、プログラムとして、辞書検索プログラム４１０を記憶し、データとして、辞書ＤＢ群４２０と、辞書言語種別テーブル４３０と、機能名表示エリアテーブル４４０と、辞書名表示エリアテーブル４５０とを記憶している。
【００４７】
ＲＡＭ５００は、ＣＰＵ１００の作業領域として用いられ、ＲＯＭ４００から読み出されたプログラムやデータ等を一時的に記憶する。本実施形態では、ＲＡＭ５００には、検索文字記憶領域５１０と、選択単語記憶領域５２０と、ジャンプ可能辞書名記憶領域５３０と、選択辞書名記憶領域５４０と、ジャンプ候補見出語記憶領域５５０と、選択見出語記憶領域５６０と、サブエリア表示名記憶領域５７０とが形成される。
【００４８】
検索文字記憶領域５１０には、検索文字入力画面において、文字キー５３の操作によって入力された検索文字が記憶される。図８に、検索文字記憶領域５１０の構成例を示す。同図では、検索文字として「セット」が入力された場合を示している。
【００４９】
選択単語記憶領域５２０には、説明情報画面において選択された選択単語が記憶される。図９に、選択単語記憶領域５２０の構成例を示す。同図では、選択単語として「ｓｅｔ」が選択されている場合を示している。
【００５０】
ジャンプ可能辞書名記憶領域５３０には、選択単語記憶領域５２０に記憶されている選択単語に対応する見出語が含まれる辞書名である１又は複数のジャンプ可能辞書の辞書名が記憶される。図１０に、ジャンプ可能辞書名記憶領域５３０の構成例を示す。同図では、選択単語が例えば「ｓｅｔ」である場合を示しており、この選択単語「ｓｅｔ」に該当するジャンプ可能辞書名として、「Ｒ英和辞書」や「Ｇ英和辞書」を含む複数の辞書の辞書名が記憶されている。
【００５１】
選択辞書名記憶領域５４０には、ジャンプ可能辞書名記憶領域５３０には、ジャンプ可能辞書名記憶領域５３０に記憶されているジャンプ可能辞書名のうちから選択された選択辞書名が記憶される。図１１（ａ）に、選択辞書名記憶領域５４０の構成例を示す。同図では、選択辞書として「Ｒ英和辞書」が選択された場合を示している。尚、ジャンプ可能辞書から辞書が選択されていない場合には、同図（ｂ）に示すように、これらジャンプ可能辞書名記憶領域５３０に記憶されているジャンプ候補辞書名がそのまま選択辞書名として記憶される。
【００５２】
ジャンプ候補見出語記憶領域５５０には、選択辞書名記憶領域５４０に記憶されている選択辞書から検索された、選択単語記憶領域５２０に記憶されている選択単語に対応するジャンプ候補見出語が記憶される。図１２に、ジャンプ候補見出語記憶領域５５０の構成例を示す。同図によれば、ジャンプ候補見出語記憶領域５５０には、選択辞書名５５１と、該選択辞書から検索された選択単語に対応する１又は複数のジャンプ候補見出語５５２とが対応付けて記憶される。
【００５３】
同図（ａ）、（ｂ）は、それぞれ、選択辞書名記憶領域５４０が図１１（ａ）、（ｂ）に示す状態の場合に相当する。即ち、図１２（ａ）では、１つの選択辞書「Ｒ英和辞書」から検索されたジャンプ候補見出語が記憶され、同図（ｂ）では、「Ｒ英和辞書」や「英和辞書」等の複数の選択辞書それぞれから検索されたジャンプ候補見出語が記憶されている。
【００５４】
選択見出語記憶領域５６０には、ジャンプ候補見出語記憶領域５５０に記憶されているジャンプ候補見出語のうちから選択された見出語が記憶される。図１３に、選択見出語記憶領域５６０の構成例を示す。同図によれば、選択見出語記憶領域５６０には、選択見出語５６１と、該選択見出語５６１が含まれる辞書名５６２とが記憶される。同図では、選択見出語として、辞書「Ｒ英和辞書」の見出語「ｓｅｔ」が選択された場合を示している。
【００５５】
サブエリア表示名記憶領域５７０には、サブディスプレイ３０の各サブエリア３２の表示データが記憶される。図１４に、サブエリア表示名記憶領域５７０の構成例を示す。同図によれば、サブエリア表示名記憶領域５７０には、各サブエリア３２に機能名／辞書名の何れが表示されているかを示す表示種別５７１が記憶されているとともに、各サブエリア３２のエリアＮｏ．５７２と、該サブエリア３２に表示されている名称５７３とが対応付けて記憶される。名称５７３は、表示種別５７１に応じた名称、即ち辞書名又は機能名が記憶される。同図では、各サブエリア３２に辞書名が表示されている場合を示している。
【００５６】
［処理の流れ］
図１５は、電子辞書１における辞書検索処理の流れを説明するためのフローチャートであり、図１６〜図２３は、この辞書検索処理中にメインディスプレイ２０及びサブディスプレイ３０に表示される表示画面を示す図である。この辞書検索処理は、ＣＰＵ１００が辞書検索プログラムを実行することで実現される。
【００５７】
図１５によれば、辞書検索処理では、ＣＰＵ１００は、先ず、辞書キー５２の操作に応じて検索対象とする辞書を選択する（ステップＳ１）。次いで、選択した辞書に応じた検索文字入力画面をメインディスプレイ２０に表示させるとともに（ステップＳ３）、この時点で使用可能な機能名を、機能名表示エリアテーブル４４０を参照して、サブディスプレイ３０の対応する各サブエリア３２に表示させる（ステップＳ５）。
【００５８】
図１６は、この時点での表示画面の一例を示す図である。同図において、上側はメインディスプレイ２０の表示画面を示し、下側はサブディスプレイ３０の表示画面を示している。また、同図は、検索対象の辞書として国語辞書を選択した場合を示している。
【００５９】
同図によれば、メインディスプレイ２０には検索文字入力画面が表示され、この検索文字入力画面には、入力された検索文字が表示される文字入力エリア２１が形成されている。また、サブディスプレイ３０には、各サブエリア３２に、この時点で使用可能な機能名として、「ヒストリ」、「ガイド」及び「単語帳」が表示されている。
【００６０】
ＣＰＵ１００は、サブディスプレイ３０に表示されている機能名がタッチされたか否かを判断し、タッチされたならば（ステップＳ７：ＹＥＳ）、そのタッチされた機能名に対応する処理を実行する。
【００６１】
サブディスプレイ３０の機能名がタッチされないならば（ステップＳ７：ＮＯ）、ＣＰＵ１００は、続いて辞書引き処理を行う。即ち、文字キー５３の操作により検索文字が入力されると、その入力された検索文字を検索文字入力画面の文字入力エリア２１に表示させる。そして、決定キー５５が操作されると、入力された検索文字に対応する見出語を検索対象の辞書ＤＢから検索し、検索した見出語をメインディスプレイ２０に一覧表示させる。次いで、一覧表示させた見出語のうちから選択された見出語に対応する説明情報を検索対象の辞書ＤＢから読み出し、読み出した説明情報に基づく説明情報画面をメインディスプレイ２０に表示させる（ステップＳ９〜Ｓ１１）。
【００６２】
図１７は、この時点での表示画面の一例を示す図である。同図によれば、メインディスプレイ２０には説明情報画面が表示され、この説明情報画面には、選択された見出語２２と、その説明情報２３とが表示されている。また、サブディスプレイ３０には、この時点で使用可能な機能名として、「ヒストリ」、「単語帳」、「ジャンプ」及び「ガイド」が各サブエリア３２に表示されている。即ち、図１６に示した時点から、新たに機能名「ジャンプ」が使用可能な機能として追加されている。
【００６３】
続いて、ＣＰＵ１００は、説明情報画面において、サブディスプレイ３０に表示されている機能名「ジャンプ」がタッチされたか否かを判断し、タッチされたならば（ステップＳ１３：ＹＥＳ）、ジャンプ機能を実行する。即ち、説明情報画面に表示されている説明情報の先頭の単語を選択単語として反転表示させる（ステップＳ１５）。そして、この選択単語に対応する見出語を含む辞書を全辞書のうちから検知し、検知した辞書名を、辞書名表示エリアテーブル４５０を参照してサブディスプレイ３０の各サブエリア３２に表示させる（ステップＳ１７）。
【００６４】
図１８は、この時点での表示画面の一例を示す図である。同図によれば、メインディスプレイ２０には、説明情報画面中の先頭単語「セット」が選択単語とされて反転表示２４された単語選択画面が表示されている。そして、サブディスプレイ３０には、この選択単語「セット」に該当するジャンプ可能辞書名として、国語辞典や漢和辞書、百科事典等の辞書名が表示されている。
【００６５】
次いで、ＣＰＵ１００は、カーソルキー５４が操作されたか否かを判断し、操作されたならば（ステップＳ１９：ＹＥＳ）、その操作方向に応じて選択単語を変更し、単語選択画面における反転表示２４を変更させる（ステップＳ２１）。その後、ステップＳ１７に戻る。
【００６６】
図１９は、この時点での表示画面の一例を示す図である。同図によれば、メインディスプレイ２０に表示された単語選択画面では、選択単語が「ｓｅｔ」に変更されて反転表示されている。そして、サブディスプレイ３０には、この選択単語「ｓｅｔ」に該当するジャンプ可能辞書名として、Ｒ英和辞書や大英和辞書、Ｇ英和辞書等の辞書名に表示が変更されている。
【００６７】
カーソルキーが操作されていないならば（ステップＳ１９：ＮＯ）、ＣＰＵ１００は、続いて、決定キー５５が操作されたか否かを判断する。決定キー５５が操作されたならば（ステップＳ２３：ＹＥＳ）、選択単語に対応する見出語を全辞書から検索し、検索した見出語をジャンプ候補見出語としてメインディスプレイ２０に一覧表示させるとともに（ステップＳ２５）、一覧表示させた見出語のうち、先頭の見出語を選択見出語として反転表示させる（ステップＳ２７）。
【００６８】
図２０は、この時点での表示画面の一例を示す図である。同図によれば、メインディスプレイ２０には、直前の表示画面である単語選択画面に重ねて、全辞書から検索された選択見出語「ｓｅｔ」に対応する見出語であるジャンプ候補見出語が一覧表示されたジャンプ候補見出語一覧画面が表示されている。また、サブディスプレイ３０には、引き続いてジャンプ可能辞書名が一覧表示されている。
【００６９】
ジャンプ候補見出語一覧画面において、ＣＰＵ１００は、サブディスプレイ３０に表示されている辞書名がタッチされたか否かを判断し、タッチされたならば（ステップＳ２９：ＹＥＳ）、そのタッチされた辞書名の辞書を選択辞書とし、この選択辞書以外の辞書名を非選択であることを表す灰色表示にさせる（ステップＳ３１）。
【００７０】
次いで、ジャンプ候補見出語のうちから選択辞書に含まれている見出語を抽出し、抽出した見出語を新たなジャンプ候補見出語として、メインディスプレイ２０におけるジャンプ候補見出語一覧画面の表示を更新するとともに（ステップＳ３３）、一覧表示させたジャンプ候補見出語のうちの先頭の見出語を選択見出語として反転表示させる（ステップＳ３５）。その後、ステップＳ２９に戻る。
【００７１】
図２１、２２は、この時点での表示画面の一例を示す図である。図２１は、図２０において、サブディスプレイ３０に表示された辞書名「Ｇ英和」がタッチされた場合を示している。図２１によれば、メインディスプレイ２０には、図２０に示したように一覧表示されたジャンプ候補見出語から、選択辞書「Ｇ英和辞書」の見出語のみに絞り込まれて一覧表示されている。また、サブディスプレイ３０には、選択辞書である「Ｇ英和辞書」以外の辞書名が灰色表示されている。
【００７２】
また、図２２は、図２０において、サブディスプレイ３０に表示された辞書名「Ｒ英和」がタッチされた場合を示している。図２２によれば、メインディスプレイ２０には、図２０に示したように一覧表示されたジャンプ候補見出語から、選択辞書「Ｒ英和辞書」の見出語のみが抽出されて一覧表示されている。また、サブディスプレイ３０には、選択辞書である「Ｒ英和辞書」以外の辞書名が灰色表示されている。
【００７３】
また、図２１において、サブディスプレイ３０に表示された辞書名「Ｒ英和」をタッチすると、選択辞書が「Ｇ英和辞書」から「Ｒ英和辞書」に変更され、図２２に示すように、メインディスプレイ２０における見出語の一覧表示が、「Ｇ英和辞書」の見出語のみの一覧表示から「Ｒ英和辞書」の見出語の一覧表示に更新される。
【００７４】
ステップＳ２９において、サブディスプレイ３０に表示されている辞書名がタッチされていないならば（ステップＳ２９：ＮＯ）、ＣＰＵ１００は、続いて、カーソルキー５４が操作されたか否かを判断する。カーソルキー５４が操作されたならば（ステップＳ３７：ＹＥＳ）、ＣＰＵ１００は、その操作方向に応じて選択見出語を変更し、変更後の選択見出語に反転表示を更新する（ステップＳ３９）。その後、ステップＳ２９に戻る。
【００７５】
また、カーソルキー５４が操作されていないならば（ステップＳ３７：ＮＯ）、ＣＰＵ１００は、続いて、決定キー５５が操作されたか否かを判断する。決定キー５５が操作されたならば（ステップＳ４１：ＹＥＳ）、選択見出語に対応する説明情報を該当する辞書ＤＢから読み出し、読み出した説明情報に基づく説明情報画面をメインディスプレイ２０に表示させる（ステップＳ４３）。
【００７６】
図２３は、この時点での表示画面の一例を示す図である。同図は、図２２において、「ｓｅｔ」が選択見出語として選択された場合を示している。図２３によれば、メインディスプレイ２０には、選択見出語２６と、その説明情報２７とが表示されている。また、サブディスプレイ３０には、この時点で実行可能な「ジャンプ」を含む各機能名が一覧表示されている。
【００７７】
次いで、ＣＰＵ１００は、戻るキー５６が操作されたか否かを判断し、操作されたならば（ステップＳ４５：ＹＥＳ）、直前の表示画面であるジャンプ候補見出語一覧画面をメインディスプレイ２０に再表示させる（ステップＳ４７）。その後、ステップＳ２９に戻る。
【００７８】
また、ステップＳ２３において、単語選択画面において決定キー５５が操作されていないならば（ステップＳ２３：ＮＯ）、ＣＰＵ１００は、サブディスプレイ３０に表示されている辞書名がタッチされたか否かを判断し、タッチされたならば（ステップＳ４９：ＹＥＳ）、ステップＳ３１に移行する。
【００７９】
そして、ステップＳ３１以降、同様の処理を実行する。即ち、タッチされた辞書名の辞書を選択辞書として選択単語に対応する見出語を検索し、検索した見出語をジャンプ候補見出語として一覧表示させるとともに、先頭の見出語を選択見出語として反転表示させたジャンプ候補見出語一覧画面をメインディスプレイ２０に表示させる（ステップＳ３１〜Ｓ３５）。
【００８０】
［作用・効果］
以上、本実施形態の電子辞書１では、辞書引きされてメインディスプレイ２０に説明情報が表示された状態で、サブディスプレイ３０に表示された機能名「ジャンプ」がタッチ（選択）されると、ジャンプ機能が起動される。即ち、説明情報中の１つの単語が選択単語とされて反転表示されるとともに、内蔵されている全辞書のうち、この選択単語に対応する見出語を含む辞書がジャンプ可能辞書としてサブディスプレイ３０に一覧表示される。また、カーソルキー５４の操作に応じて選択単語が変更されるとともに、この選択単語の変更に伴ってジャンプ可能辞書の一覧表示が更新される。
【００８１】
決定キー５５が操作されると、ジャンプ可能辞書それぞれから検索された選択単語に対応する見出語がジャンプ候補見出語としてメインディスプレイ２０に一覧表示される。次いで、この一覧表示されたジャンプ候補辞書名の何れかがタッチされると、一覧表示されているジャンプ候補見出語のうち、タッチされた辞書に含まれる見出語のみがジャンプ候補見出語として更新され、ジャンプ候補見出語の一覧表示が更新される。そして、一覧表示されているジャンプ候補見出語のうちから何れかの見出語が選択されると、その選択された見出語に対応する説明情報が該当する辞書ＤＢから読み出され、メインディスプレイ２０に表示される。
【００８２】
従って、ジャンプ機能を実行すると、説明情報中から選択した単語に対応する見出語を含む辞書名のみがサブディスプレイ３０に一覧表示され、一覧表示された辞書名の中から辞書引きしたい辞書を選択・決定すると、その選択した辞書にジャンプして、選択した単語に対応する見出語が一覧表示される。このため、ユーザは、選択した単語に対応する見出語を有する辞書のみをジャンプ可能な辞書として把握し、これらジャンプ可能な辞書から所望の辞書を選択してジャンプを実行させることができ、ジャンプ機能を実行する際の利便性の向上が実現される。また、ジャンプ可能辞書名はタッチパネル４０と一体的に形成されたサブディスプレイ３０に一覧表示されるので、ユーザは、サブディスプレイ３０をタッチすることでジャンプ先の辞書を容易に指定でき、ジャンプ機能を実行する際の操作性の向上が実現される。
【００８３】
［変形例］
尚、本発明を適用可能な実施形態は、上述した実施形態に限定されることなく、本発明の趣旨を逸脱しない範囲で適宜変更可能である。
【００８４】
（Ａ）辞書名のタッチによる選択辞書の追加
例えば、上述した実施形態では、ジャンプ候補見出語一覧画面においてサブディスプレイ３０に表示された辞書名をタッチ（選択）すると、そのタッチした辞書名の辞書に選択辞書が変更され、該選択辞書の見出語のみに絞り込まれたジャンプ候補見出語の一覧表示が更新されることとしたが、これを、新たにタッチした辞書名の辞書の見出語がジャンプ候補見出語の一覧表示に追加されることとしても良い。
【００８５】
具体的には、例えば図２４は、図２１のジャンプ候補一覧画面において、サブディスプレイ３０に表示されている辞書名「Ｒ英和」をタッチした場合の表示画面例を示す図である。図２４によれば、タッチした辞書名の辞書「Ｒ英和辞書」が選択辞書として追加され、メインディスプレイ２０におけるジャンプ候補見出語の一覧表示が、既に表示されている「Ｇ英和辞書」の見出語に、タッチした「Ｒ英和辞書」の見出語が追加されて更新されている。
【００８６】
（Ｂ）サブディスプレイ
また、上述した実施形態では、メインディスプレイ２０及びサブディスプレイ３０の２つのディスプレイを備え、サブディスプレイ３０にタッチパネル４０が一体的に形成されるとしたが、サブディスプレイ３０を設けず、メインディスプレイ２０にタッチパネル４０が一体的に形成されることとしても良い。
【００８７】
具体的には、例えば図２５に示すように、メインディスプレイ２０の表示領域を上エリア２０Ａ及び下エリア２０Ｂの上下２つのエリアに分割し、少なくとも下エリア２０Ｂを含むディスプレイの部分にタッチパネルを一体的に形成し、この下エリアに機能名や辞書名を表示するように構成しても良い。
【００８８】
（Ｃ）辞書名や機能名の一覧表示
また、上述した実施形態では、ジャンプ可能辞書名や機能名をサブディスプレイ３０に一覧表示させ、これをタッチすることで選択することとしたが、所定キーを操作することで選択することとしても良い。具体的には、例えば図２６に示すように、キー群５０に含まれる数字キー５７それぞれに辞書名を対応させ、メインディスプレイ２０の下方のサブ表示エリア２０Ｃに、これら数字キー５７と辞書名との対応関係を表示させる。ユーザは、数字キー５７を操作することで所望の辞書名を選択する。
【図面の簡単な説明】
【００８９】
【図１】本実施形態における電子辞書の外観図。
【図２】電子辞書のサブディスプレイ及びキー群の構成図。
【図３】電子辞書の内部構成図。
【図４】国語辞書ＤＢのデータ構成例。
【図５】辞書言語種別テーブルのデータ構成例。
【図６】機能名表示エリアテーブルのデータ構成例。
【図７】辞書名表示エリアテーブルのデータ構成例。
【図８】検索文字記憶領域の構成例。
【図９】選択単語記憶領域の構成例。
【図１０】ジャンプ可能辞書名記憶領域の構成例。
【図１１】選択辞書名記憶領域の構成例。
【図１２】ジャンプ候補見出語記憶領域の構成例。
【図１３】選択見出語記憶領域の構成例。
【図１４】サブエリア表示名記憶領域の構成例。
【図１５】辞書検索処理の流れ図。
【図１６】辞書検索処理中における表示画面例。
【図１７】辞書検索処理中における表示画面例。
【図１８】辞書検索処理中における表示画面例。
【図１９】辞書検索処理中における表示画面例。
【図２０】辞書検索処理中における表示画面例。
【図２１】辞書検索処理中における表示画面例。
【図２２】辞書検索処理中における表示画面例。
【図２３】辞書検索処理中における表示画面例。
【図２４】辞書の選択によりジャンプ候補見出語を追加する場合の表示画面例。
【図２５】メインディスプレイにタッチパネルを一体形成する場合の表示画面例。
【図２６】辞書名をキー操作で選択する場合の表示画面例及びキー群の構成図。
【符号の説明】
【００９０】
１  電子辞書
１００  ＣＰＵ
２００  入力部
４０  タッチパネル
５０  キー群
３００  表示部
２０  メインディスプレイ
３０  サブディスプレイ
３２  サブエリア
４００  ＲＯＭ
４１０  辞書検索プログラム
４２０  辞書ＤＢ群
４３０  辞書言語種別テーブル
４４０  機能名表示エリアテーブル
４５０  辞書名表示エリアテーブル
５００  ＲＡＭ
５１０  検索文字記憶領域
５２０  選択単語記憶領域
５３０  ジャンプ可能辞書名記憶領域
５４０  選択辞書名記憶領域
５５０  ジャンプ候補見出語記憶領域
５６０  選択見出語記憶領域
６７０  サブエリア表示名記憶領域
【図１】
2007087146.tif 000003
【図２】
2007087146.tif 000004
【図３】
2007087146.tif 000005
【図４】
2007087146.tif 000006
【図５】
2007087146.tif 000007
【図６】
2007087146.tif 000008
【図７】
2007087146.tif 000009
【図８】
2007087146.tif 000010
【図９】
2007087146.tif 000011
【図１０】
2007087146.tif 000012
【図１１】
2007087146.tif 000013
【図１２】
2007087146.tif 000014
【図１３】
2007087146.tif 000015
【図１４】
2007087146.tif 000016
【図１５】
2007087146.tif 000017
【図１６】
2007087146.tif 000018
【図１７】
2007087146.tif 000019
【図１８】
2007087146.tif 000020
【図１９】
2007087146.tif 000021
【図２０】
2007087146.tif 000022
【図２１】
2007087146.tif 000023
【図２２】
2007087146.tif 000024
【図２３】
2007087146.tif 000025
【図２４】
2007087146.tif 000026
【図２５】
2007087146.tif 000027
【図２６】
2007087146.tif 000028